(57)【要約】【課題】長期間、設置運転して、構成部品が劣化してきても、発煙等のリスクをなくした浴室換気乾燥機を提供することを目的とする。【解決手段】本体６に設けた制御基板１０が、記憶手段１５と、電源の通電を検知する検知回路１３と、電源の通電時間を積算する積算手段１４とを有し、検知回路１３にて通電が検知された場合に、通電時間を積算手段１４によって積算し、定期的に積算した通電時間を記憶手段１５に書き込み記憶するとともに、記憶手段１５に記憶された通電時間を使用者に知らせる構成としたことにより、使用者は、積算された通電時間により使用期間を把握して製品の使用状況を確認し、適切なメンテナンスを行うことによって、発煙等の発生を未然に防止することができる。【選択図】図２
2010121788.tif 000002
【特許請求の範囲】
【請求項１】
浴室から吸い込んだ空気を循環ファンにて加熱装置を介して再び浴室内に吹き出す循環風路と、浴室の空気を換気ファンにて吸い込んで屋外に排出する換気風路とを本体内に形成し、前記換気風路における浴室からの通風を切り換えるダンパーと、壁面等に取り付けたリモートコントローラーと信号線によって電気的に接続され、前記循環ファン、前記加熱装置、前記換気ファン、前記ダンパーの動作を制御する制御基板とを前記本体内に設け、前記制御基板に前記本体に設けた電源ターミナルを介して電源を供給する浴室換気乾燥機であって、前記制御基板は、記憶手段と、前記電源の通電を検知する検知回路と、前記電源の通電時間を積算する積算手段とを有し、前記検知回路にて電源の通電が検知された場合に、その通電時間を前記積算手段によって積算し、定期的に前記積算した通電時間を記憶手段に書き込み記憶するとともに、前記記憶手段に記憶された通電時間を使用者に知らせる構成としたことを特徴とする浴室換気乾燥機。
【請求項２】
記憶手段に記憶された積算通電時間が所定の時間に達した旨を使用者に知らせる構成とした請求項１に記載の浴室換気乾燥機。
【請求項３】
記憶手段に記憶された積算通電時間が所定の時間に達した旨を、本体の下面を覆い浴室の天井面に取り付けられるルーバー部に設けた表示部によって表示する請求項２に記載の浴室換気乾燥機。
【請求項４】
記憶手段に記憶された積算通電時間が所定の時間に達した旨を、リモートコントローラーの操作状態を示す表示部に表示する請求項２に記載の浴室換気乾燥機。
【請求項５】
記憶手段に記憶された積算通電時間が所定の時間に達した旨を、リモートコントローラーの音声ガイドによる報知手段によって知らせる請求項２に記載の浴室換気乾燥機。
【請求項６】
記憶手段に記憶された積算通電時間が所定の時間に達するまでに、複数回にわたって所定の時間に近づいたことを知らせる請求項２〜５のいずれかに記載の浴室換気乾燥機。
【請求項７】
積算通電時間に係るお知らせを、リモートコントローラーにおいて所定の操作をすることにより消去できる構成とした請求項１〜６のいずれかに記載の浴室換気乾燥機。
【請求項８】
積算通電時間に係るお知らせが所定時間経過すると自動的に消去される請求項１〜６のいずれかに記載の浴室換気乾燥機。
【請求項９】
所定の時間を複数個設定しておき、所定の時間に達した旨のお知らせが消去されても次の所定の時間に達したことを知らせる構成とした請求項６〜８のいずれかにに記載の浴室換気乾燥機。
【請求項１０】
記憶手段に記憶された積算通電時間を、リモートコントローラーにおいて所定の操作をすることにより表示させることができる構成とした請求項１〜６のいずれかに浴室換気乾燥機。
【請求項１１】
記憶手段に記憶された積算通電時間をリモートコントローラーの表示部に表示させる請求項１０に記載の浴室換気乾燥機。
【請求項１２】
記憶手段に記憶されている積算通電時間を任意に書き換え自在とした請求項１に記載の浴室換気乾燥機。
【請求項１３】
本体への非通電時間を積算し、この積算非通電時間を積算通電時間に加えた経過時間を記憶手段に記憶する請求項１に記載の浴室換気乾燥機。
【請求項１４】
本体への通電が停止されると、本体への通電電源から非通電時間積算用の電源回路に切り換える構成とした請求項１３に記載の浴室換気乾燥機。
【請求項１５】
本体へ通電されると、非通電時間を積算する電源回路から本体への通電電源の使用に切り換える構成とした請求項１４に記載の浴室換気乾燥機。
【請求項１６】
記憶手段に、積算通電時間が入力されていない場合、および、積算通電時間に係る所定の時間が入力されていない場合、本体は動作を開始しない構成とした請求項２に記載の浴室換気乾燥機。
【発明の詳細な説明】
【技術分野】
【０００１】
本発明は、暖房や換気機能を搭載し、浴室を利用して洗濯物を乾燥させる浴室換気乾燥機に関する。
【背景技術】
【０００２】
近年、一般家庭において浴室の換気装置の設置が多くなるにともない、浴室を利用して洗濯物を乾燥させる乾燥機能を有した浴室換気乾燥機が普及してきている。また、建築基準法が改正され新築住宅にあっては常時換気の機能を有する換気装置の設置が義務付けられ、ますます浴室換気乾燥機の普及が拡大してきている。浴室換気乾燥機は、設備商品としての傾向が強く、浴室を新規にする時に一緒に交換するというケースが非常に多い。そのため、一旦設置されると、浴室が壊れる、もしくは汚れが著しくなる２０〜３０年近く使用、設置されることが多い。
【０００３】
従来の浴室換気乾燥機の一例として、図１２に示すものが知られている（例えば、特許文献１参照）。
【０００４】
以下、その構成について図１２を参照しながら説明する。
【０００５】
図１２に示すように、浴室内の天井に設置された本体１０１に浴室内の空気を換気する換気手段１０２と、浴室内の空気を循環させる循環手段１０３と、循環手段１０３により生成される循環空気を加熱する加熱手段１０４とが設けられており、換気手段１０２は、本体１０１を構成するハウジング下部に開口した吸気口１０５と、吸気口１０５より浴室の空気を吸引する換気ファン１０６と、換気ファン１０６の駆動源である換気用モータ１０７と、本体１０１内に設けた隔壁によって構成した換気風路１０８とから構成され、換気風路１０８の出口は屋外に開口した図示しないダクトに接続される排気口１０９となっている。
【０００６】
また、循環手段１０３は換気手段１０２と同様に本体１０１を構成するハウジングの下部に開口した吸気口１０５と、吸気口１０５から吸気した浴室の空気をハウジングの下部に開口している吐出口１１０から吐出することを繰り返すことによって浴室内の空気を循環させる循環ファン１１１と、循環ファン１１１の駆動源である循環用モータ１１２と、本体１０１内に設けた隔壁によって構成した循環風路１１３と、循環風路１１３の出口を構成する吐出口１１０とを備えている。
【０００７】
また、加熱手段１０４は、循環風路１１３中に設けた３個のヒーター１１４ａ、１１４ｂ、１１４ｃを備えており、換気用モータ１０７の駆動、すなわち換気ファン１０６の作動、循環用モータ１１２の駆動、すなわち循環ファン１１１の作動、ヒーター１１４ａ、１１４ｂ、１１４ｃの作動を各々選択的に操作し、浴室内の暖房、換気等を行うものである。
【特許文献１】特開２００４−９３００８号公報
【発明の開示】
【発明が解決しようとする課題】
【０００８】
浴室換気乾燥機は、浴室内に設置されるために、高湿度の空気にさらされる時間が非常に長く、さらに加熱装置を搭載しているため大電流が流れており、部品自体も高温下にさらされるため劣化しやすくなる。そして、特許文献１に記載の浴室換気乾燥機の構成からもわかるように多くの部品が使用され、これらの使用部品も長期間使用されると経年劣化をし、しかも、高湿度空間で使用され、かつ大電流使用機器のため、場合によっては発煙等が起こることもあるという課題がある。
【０００９】
本発明は、このような従来の課題を解決するものであり、発煙等が起こるリスクをなくした浴室換気乾燥機を提供することを目的とする。
【課題を解決するための手段】
【００１０】
本発明の浴室換気乾燥機は、上記目的を達成するために、浴室から吸い込んだ空気を循環ファンにて加熱装置を介して再び浴室内に吹き出す循環風路と、浴室の空気を換気ファンにて吸い込んで屋外に排出する換気風路とを本体内に形成し、前記換気風路における浴室からの通風を切り換えるダンパーと、壁面等に取り付けたリモートコントローラーと信号線によって電気的に接続され、前記循環ファン、前記加熱装置、前記換気ファン、前記ダンパーの動作を制御する制御基板とを前記本体内に設け、前記制御基板に前記本体に設けた電源ターミナルを介して電源を供給する浴室換気乾燥機であって、前記制御基板は、記憶手段と、前記電源の通電を検知する検知回路と、前記電源の通電時間を積算する積算手段とを有し、前記検知回路にて電源の通電が検知された場合に、その通電時間を前記積算手段によって積算し、定期的に前記積算した通電時間を記憶手段に書き込み記憶するとともに、前記記憶手段に記憶された通電時間を使用者に知らせるものである。
【００１１】
また、他の手段は、記憶手段に記憶された積算通電時間が所定の時間に達した旨を使用者に知らせる構成としたものである。
【００１２】
また、他の手段は、記憶手段に記憶された積算通電時間が所定の時間に達した旨を、本体の下面を覆い浴室の天井面に取り付けられるルーバー部に設けた表示部によって表示するものである。
【００１３】
また、他の手段は、記憶手段に記憶された積算通電時間が所定の時間に達した旨を、リモートコントローラーの操作状態を示す表示部に表示するものである。
【００１４】
また、他の手段は、記憶手段に記憶された積算通電時間が所定の時間に達した旨を、リモートコントローラーの音声ガイドによる報知手段によって知らせるものである。
【００１５】
また、他の手段は、記憶手段に記憶された積算通電時間が所定の時間に達するまでに、複数回にわたって所定の時間に近づいたことを知らせるものである。
【００１６】
また、他の手段は、積算通電時間に係るお知らせを、リモートコントローラーにおいて所定の操作をすることにより消去できる構成としたものである。
【００１７】
また、他の手段は、積算通電時間に係るお知らせが所定時間経過すると自動的に消去されるものである。
【００１８】
また、他の手段は、所定の時間を複数個設定しておき、所定の時間に達した旨のお知らせが消去されても次の所定の時間に達したことを知らせる構成としたものである。
【００１９】
また、他の手段は、記憶手段に記憶された積算通電時間を、リモートコントローラーにおいて所定の操作をすることにより表示させることができる構成としたものである。
【００２０】
また、他の手段は、記憶手段に記憶された積算通電時間をリモートコントローラーの表示部に表示させるものである。
【００２１】
また、他の手段は、記憶手段に記憶されている積算通電時間を任意に書き換え自在としたものである。
【００２２】
また、他の手段は、本体への非通電時間を積算し、この積算非通電時間を積算通電時間に加えた経過時間を記憶手段に記憶するものである。
【００２３】
また、他の手段は、本体への通電が停止されると、本体への通電電源から非通電時間積算用の電源回路に切り換える構成としたものである。
【００２４】
また、他の手段は、本体へ通電されると、非通電時間を積算する電源回路から本体への通電電源の使用に切り換える構成としたものである。
【００２５】
また、他の手段は、記憶手段に、積算通電時間が入力されていない場合、および、積算通電時間に係る所定の時間が入力されていない場合、本体は動作を開始しない構成としたものである。
【発明の効果】
【００２６】
本発明によれば、検知回路にて電源の通電が検知された場合に、その通電時間を積算手段によって積算し、定期的に積算した通電時間を記憶手段に書き込み記憶するとともに、記憶手段に記憶された通電時間を使用者に知らせることにより、使用者は、積算された通電時間によって使用時間を把握し、製品の使用状況を確認し、適切なメンテナンスを行うことによって発煙等の発生を未然に防止することができるという効果のある浴室換気乾燥機を提供することができる。
【００２７】
また、記憶手段に記憶された積算通電時間が所定の時間に達した旨を使用者に知らせる構成としたことにより、点検時期としてあらかじめ設定した所定の時間に達したことを使用者が知ることができ、重要な点検を気づかなかったり遅れることなく実施することができる。
【００２８】
また、記憶手段に記憶された積算通電時間が所定の時間に達した旨を、ルーバー部に設けた表示部によって表示することにより、点検時期を気づきやすくして、点検の実施率を高めることができる。
【００２９】
また、記憶手段に記憶された積算通電時間が所定の時間に達した旨を、リモートコントローラーの操作状態を示す表示部に表示することにより、点検時期をより気づきやすくして、点検の実施率をより高めることができる。
【００３０】
また、記憶手段に記憶された積算通電時間が所定の時間に達した旨を、音声ガイドによる報知手段によって知らせることにより、点検時期をさらに気づきやすくなり、点検の実施率をさらに高めることができる。
【００３１】
また、記憶手段に記憶された積算通電時間が所定の時間に達するまでに、複数回にわたって所定の時間に近づいたことを知らせることにより、点検時期がくることを前もって知ることができ、点検の準備等が可能となる。
【００３２】
また、積算通電時間に係るお知らせを、リモートコントローラーにおいて所定の操作をすることにより消去できる構成としたことにより、次のお知らせは、新たなお知らせとして意識して見ることができるようにすることができる。
【００３３】
また、積算通電時間に係るお知らせが所定時間経過すると自動的に消去されることにより、次のお知らせは、かならず新たなお知らせとして見ることができる。
【００３４】
また、所定の時間を複数個設定しておき、所定の時間に達した旨のお知らせが消去されても次の所定時間に達したことを知らせる構成としたことにより、消去しても何回か点検時期に達したことを知らせて、点検を実施する意識を持つように強調することができる。
【００３５】
また、記憶手段に記憶された積算通電時間を、リモートコントローラーにおいて所定の操作をすることにより表示させることができる構成としたことにより、点検の時期を使用者自ら把握することができ、点検の準備等をしてメンテナンス性を高めることができる。
【００３６】
また、記憶手段に記憶された積算通電時間をリモートコントローラーの表示部に表示させることにより、表示を確認しながら、容易に操作できることとなる。
【００３７】
また、記憶手段に記憶されている積算通電時間を任意に書き換え自在としたことにより、たとえば、製品使用期間の途中で制御基板だけをメンテナンスした場合に、積算通電時間をそれまでの積算通電時間を継続するように書き換えることができることとなる。
【００３８】
また、本体への非通電時間を積算し、この積算非通電時間を積算通電時間に加えた経過時間を記憶手段に記憶することにより、通電時だけでなく非通電時も含めて経過時間を積算して記憶し、経年劣化も考慮した点検時期を使用者に知らせることができる。
【００３９】
また、本体への通電が停止されると、本体への通電電源から非通電時間積算用の電源回路に切り換える構成としたことにより、本体への通電が停止されても、非通電時間を積算して経過時間を積算することができる。
【００４０】
また、本体へ通電されると、非通電時間を積算する電源回路から本体への通電電源の使用に切り換える構成としたことにより、非通電時間積算用の電源は、その使用時間を長くならないようにして、長寿命に保護することができる。
【００４１】
また、記憶手段に、積算通電時間が入力されていない場合、および、積算通電時間に係る所定の時間が入力されていない場合、本体は動作を開始しない構成としたことにより、点検時期を知らせない状態のまま運転が継続されていくことを防止できる。
【発明を実施するための最良の形態】
【００４２】
本発明の請求項１記載の浴室換気乾燥機は、制御基板は、記憶手段と、電源の通電を検知する検知回路と、前記電源の通電時間を積算する積算手段とを有し、前記検知回路にて電源の通電が検知された場合に、その通電時間を前記積算手段によって積算し、定期的に前記積算した通電時間を記憶手段に書き込み記憶するとともに、前記記憶手段に記憶された通電時間を使用者に知らせる構成としたものであり、本体への積算した通電時間が定期的に記憶手段に記憶され、記憶された積算通電時間を使用者に知らせることによって、使用者は製品の使用時間を把握することができるという作用を有する。
【００４３】
また、請求項２記載の浴室換気乾燥機は、記憶手段に記憶された積算通電時間が所定の時間に達した旨を使用者に知らせる構成としたものであり、記憶された通電時間が、あらかじめ加熱装置等の重要構成要素の点検時期として設定した時間に達したことを使用者に知らせることとなる。
【００４４】
また、請求項３記載の浴室換気乾燥機は、記憶手段に記憶された積算通電時間が所定の時間に達した旨を、本体の下面を覆い浴室の天井面に取り付けられるルーバー部に設けた表示部によって表示するものであり、積算通電時間が所定の時間に達したことを、浴室内で目に触れるルーバー部に設けた表示部に表示することによって、使用者が点検時期の表示に気づきやすくなる。
【００４５】
また、請求項４記載の浴室換気乾燥機は、記憶手段に記憶された積算通電時間が所定の時間に達した旨を、リモートコントローラーの操作状態を示す表示部に表示するものであり、製品の運転時に使用するリモートコントローラーの表示部は運転時に見る確率が高く、使用者が点検時期の表示により気づきやすくなる。
【００４６】
また、請求項５記載の浴室換気乾燥機は、記憶手段に記憶された積算通電時間が所定の時間に達した旨を、リモートコントローラーの音声ガイドによる報知手段によって知らせるものであり、積算通電時間が所定の時間に達したことを、使用者が意識して見なくても、音声ガイドによって無意識のうちに知らされることとなる。
【００４７】
また、請求項６記載の浴室換気乾燥機は、記憶手段に記憶された積算通電時間が所定の時間に達するまでに、複数回にわたって所定の時間に近づいたことを知らせるものであり、積算通電時間が所定の時間に達したことを突然知らせるのではなく、徐々に近づいていることを知らせる。
【００４８】
また、請求項７記載の浴室換気乾燥機は、積算通電時間に係るお知らせを、リモートコントローラーにおいて所定の操作をすることにより消去できる構成としたものであり、積算通電時間に係るお知らせを確認後、消去しておくことができる。
【００４９】
また、請求項８記載の浴室換気乾燥機は、積算通電時間に係るお知らせが所定時間経過すると自動的に消去されるものであり、お知らせがあった都度、消去する操作をしなくても、自動的に消去されることとなる。
【００５０】
また、請求項９記載の浴室換気乾燥機は、所定の時間を複数個設定しておき、所定の時間に達した旨のお知らせが消去されても次の所定の時間に達したことを知らせる構成としたものであり、一つの所定の時間に係るお知らせが消去されると、次の所定の時間に係るお知らせをし、この動作が繰り返されることとなる。
【００５１】
また、請求項１０記載の浴室換気乾燥機は、記憶手段に記憶された積算通電時間を、リモートコントローラーにおいて所定の操作をすることにより表示させることができる構成としたものであり、使用者が、その時の使用期間を把握するためにリモートコントローラーを操作して、積算通電時間を容易に知ることができる。
【００５２】
また、請求項１１記載の浴室換気乾燥機は、記憶手段に記憶された積算通電時間をリモートコントローラーの表示部に表示させるものであり、上記リモートコントローラーの操作による積算通電時間の表示を、リモートコントローラー自体に表示させる。
【００５３】
また、請求項１２記載の浴室換気乾燥機は、記憶手段に記憶されている積算通電時間を任意に書き換え自在としたものであり、記憶されている積算通電時間を、その時の実状に応じて書き換えることができる。
【００５４】
また、請求項１３記載の浴室換気乾燥機は、本体への非通電時間を積算し、この積算非通電時間を積算通電時間に加えた経過時間を記憶手段に記憶するものであり、本体への非通電時の時間も積算し、たとえば製品製造時からの経過時間を積算して記憶手段に記憶する。
【００５５】
また、請求項１４記載の浴室換気乾燥機は、本体への通電が停止されると、本体への通電電源から非通電時間積算用の電源回路に切り換える構成としたものであり、本体への通電が停止されても、本体への通電とは別の電源回路に切り換えて非通電時間を積算することとなる。
【００５６】
また、請求項１５記載の浴室換気乾燥機は、本体へ通電されると、非通電時間を積算する電源回路から本体への通電電源の使用に切り換える構成としたものであり、本体への通電時には、非通電時間積算用の電源回路を断電して使用しない。
【００５７】
また、請求項１６記載の浴室換気乾燥機は、記憶手段に、積算通電時間が入力されていない場合、および、積算通電時間に係る所定の時間が入力されていない場合、本体は動作を開始しない構成としたものであり、点検時期を知らせるための状態になっていない場合には、正規の状態になるまで待機して、本体への通電時間を確実に入力する旨を使用者に知らしめる。
【００５８】
以下、本発明の実施の形態について、図１〜図１１を参照しながら説明する。
【００５９】
（実施の形態１）
図１は本体６の浴室側下面を覆うルーバー部を取り外した内部の循環風路３と換気風路５のブロック構成図である。
【００６０】
図に示すように、電動機（図示せず）の駆動により回転されて浴室内の空気を吸込み、その浴室から吸い込んだ空気を加熱装置２に流し、加熱装置２の間で熱交換を行って加温した空気を再び浴室内に吹き出す循環ファン１と加熱装置２を連通してなる循環風路３と、電動機（図示せず）を駆動させて換気ファン４を回転させ浴室内の空気を吸込み、その浴室から吸い込んだ空気を屋外に排出する換気風路５とを本体６内に形成し、換気風路５における浴室からの通風をなくすために閉にしたり、浴室からの吸込み空気を多くするために開にしたりすることが可能なダンパー７を換気ファン４の上流側に配置し、ダンパー７を電動機（図示せず）を用いて、その開度を調整することにより、換気ファン４に吸い込まれる排気する空気の量を調整している。ここで、循環ファン１および換気ファン４は具体的形状としてシロッコファン形状が適切であり、低騒音化ということではクロスフローファン、高静圧ということではターボファンといったものを使用することもある。
【００６１】
また加熱装置２に関しても、具体的には輻射熱を放出するハロゲンヒーターや遠赤外線ヒーター、ＰＴＣヒーターなどの電気的なヒーターを使用しても、他の熱源機（図示せず）から温水を供給してもらい、温水を中に流す温水コイルのようなものでも同一の効果を発揮することができる。
【００６２】
次に図２を参照して、本体６の動作を制御するための構成について説明する。
【００６３】
浴室外の壁面等に取り付けたリモートコントローラー８と本体６を信号線９によって電気的に接続し、リモートコントローラー８からの指令により本体６の動作の指令を行う。ここでいう動作の指令とは暖房運転をするために循環ファン１と加熱装置２を運転させる、または、換気を行うために換気ファン４を運転させるといった指令のことである。そして、循環ファン１、加熱装置２、換気ファン４、ダンパー７の動作を制御する制御基板１０を本体６内に設け、制御基板１０に本体６に設けた電源ターミナル１１を介して外部の分電盤から電源を供給している。電源ターミナル１１は施工のしやすさ、安全性からすれば温度ヒューズ付きの速結端子を用いるケースが多い。電源ターミナル１１から電源線１２によって制御基板１０に電源が供給される。電源への通電を電子部品の回路形成により検知する検知回路１３と、電源の通電時間を積算する電子部品の積算手段１４とを有し、図３のフローチャートに示すように、検知回路１３にて電源の通電が検知された場合に、その通電時間を積算手段１４によって積算し、定期的に積算した通電時間を電子部品の記憶手段１５に書き込み記憶するとともに、記憶手段１５に記憶された通電時間を使用者に知らせる構成としている。記憶手段１５は、通電が断電された場合でも、記憶された情報は初期化されないものとする。具体的にはＥＥＰＲＯＭと呼ばれるような電子部品記憶装置がここでいう電子部品に該当する。
【００６４】
図４のフローチャートに示すように、記憶手段１５に記憶された積算通電時間が所定の時間に達すると、その旨を使用者に知らせる。所定の時間とは、具体的に製品を製造し出荷する時に設定しておく場合もあれば、製品を設置して、その設置された環境により、設置後にリモートコントローラー８を操作することにより設定する場合があり、この場合、所定の時間が製品出荷時に設定されていれば変更する。設定されていない場合は入力する。また、所定の時間は１個とはかぎらず、当然複数個の所定の時間を持つこともある。
【００６５】
図５に示すように、浴室からの空気を吸込む吸込口１６と浴室内に温風等を吹き出す吹出口１７を備え、本体６を覆うように浴室側に装着されたルーバー部１８の浴室内から容易に確認できる位置に、通電時間が所定の時間に達した旨を表示する表示部１９を配設している。
【００６６】
通電時間が所定の時間に達した旨を表示する具体的な手段は、アルファベットのＣを表示する場合や、所定の時間を数字そのもので表示する場合があり、いずれの場合も同一の効果をもたらす。
【００６７】
図６のフローチャートに示すように、記憶手段１５に記憶された積算通電時間が所定の時間のＡ時間前、Ｂ時間前に達したことを複数回にわたって、使用者に知らせる。知らせ方については、ある特定の時間の数字ごとに知らせる方法もあれば、数字がカウントダウン方式のように連続的に減算させて表示をする方法もある。
【００６８】
図７のフローチャートに示すように、積算通電時間に係るお知らせを、リモートコントローラー８において所定の操作をすることにより消去できる。もしくは、積算通電時間に係るお知らせが表示を開始してから所定時間経過すると自動的に消去される。
【００６９】
所定の操作とは具体的には押しボタンを長押しする方法などがある。
【００７０】
積算通電時間の所定の時間は、長さが少しずつ異なる時間を複数個設定しておき、所定の時間に達した旨のお知らせが消去されても、次の所定の時間に達した場合に再び表示をして知らせる構成としている。
【００７１】
次の所定の時間に達した場合の表示方法は、その前の表示方法と同じ方法にて表示をする。
【００７２】
上記構成により、積算通電時間に係るお知らせを確認後、消去しておくことができ、次のお知らせを新たなお知らせとして意識して見ることができるようになり、消去を自動的になされるようにすることにより、次のお知らせはかならず新たなお知らせとして見ることができるようになる。さらに、一つの所定の時間に係るお知らせが消去されると、次の所定の時間に係るお知らせをし、この動作が繰り返され、消去しても何回か点検時期に達したことを知らせて、点検を実施する意識を持つように強調することができるようになる。
【００７３】
また、記憶手段１５に記憶されている積算通電時間は、リモートコントローラー８を操作することにより任意に書き換えることができる。
【００７４】
これは、下記のような場合が市場にて起こることが容易に想定できるため、その対応である。
【００７５】
製品を設置して数年後に、制御基板１０が故障し、現場にて交換が必要となった場合に、新しい制御基板１０は当然初めての通電のため、積算通電時間の積算が交換後に開始されるが、制御基板１０以外の構成部品は当然交換までの数年間の通電時間があるはずである。そのため、製品自体が通電を始めた数年前からの積算通電時間を記憶手段１５の初期値として、新たな制御基板１０の積算通電時間に書き換え可能としている。
【００７６】
また、図８のフローチャートに示すように、記憶手段１５に記憶されている数字を読み込みにいった時に、積算通電時間が読み取れた場合（数字上、運転をしていない時の０時間を含む）、本体６は動作待機状態に移行するが、積算通電時間が入力されていない場合には、本体６を停止し、積算通電時間が入力されていない旨の異常表示をし、積算通電時間を入力してもらうように本体６を停止させた状態のまま待機状態となる。
【００７７】
この後、上記のようにリモートコントローラー８を使用し、その時の実状に応じて任意に積算通電時間を初期値として入力し、動作させるようにする。
【００７８】
また、点検時期を知らせる積算通電時間の所定の時間が記憶手段１５に入力されていない場合も、同様にして、リモートコントローラー８を使用して入力する。
【００７９】
上記構成により、点検時期を知らせるための状態になっていない場合には、正規の状態になるまで待機して、点検時期を知らせない状態のまま運転が継続されていくことを防止できる。
【００８０】
（実施の形態２）
本発明の実施の形態２の浴室換気乾燥機は、上記実施の形態１の浴室換気乾燥機に対し、図９に示すように、記憶手段１５に記憶された積算通電時間が所定の時間に達した旨を、リモートコントローラー８の操作状態を示す表示部２０に表示する点が相違する。
【００８１】
表示手段はＬＥＤを点灯、点滅させる手段や、７セグＬＥＤにアルファベット数字を点灯、点滅させる手段や、所定の時間の数字そのものを表示する手段がある。これはリモートコントローラー８を操作する時に容易に確認することができるし、操作する時に、普段停止中は何も表示がされていないのに、積算通電時間において所定の時間に達した旨が表示されていると、普段とは違う何かが表示されており、意外性の点で使用者の気を引き、気付きやすくなる利点がある。
【００８２】
また、記憶手段１５に記憶された積算通電時間が所定の時間に達した旨を使用者に知らしめる別の手段として、音声ガイドによる報知手段２１によって使用者に言語や音でわかりやすく知らせる手段がある。
【００８３】
また、図１０のフローチャートに示すように、記憶手段１５に記憶されている積算通電時間を、リモートコントローラー８において所定の操作をすることによりリモートコントローラー８の表示部２０に表示させることができる構成としている。
【００８４】
リモートコントローラー８の所定の操作として、単操作（例えば、換気ボタンを押す）ではなく、複数操作を組み合わせて行うようにする。これは、リモートコントローラー８の普段の使用時とは明確に区別して操作するためである。
【００８５】
上記構成により、使用者がリモートコントローラー８を操作してその表示部２０にその時の使用期間を表示させて、自ら点検時期を容易に把握でき、点検の準備等をすることができる。
【００８６】
（実施の形態３）
本発明の実施の形態３の浴室換気乾燥機は、上記実施の形態１の浴室換気乾燥機に対し、図１１に示すように、本体６への非通電時間を積算し、この積算非通電時間を積算通電時間に加えた経過時間を記憶手段１５に記憶する構成とした点に特徴がある。
【００８７】
すなわち、電源ターミナル１１から本体６への電源の通電が断電された場合に、電子部品にて形成された非通電検知回路２２が電源ターミナル１１からの非通電を検知して作動し、電源ターミナル１１を介した通電電源から非通電時間積算用の電源回路２３に切り換えて非通電検知回路２２により非通電時間を積算し、この積算非通電時間を記憶手段１５に記憶する。そして、電源ターミナル１１を介して再び本体６への通電が開始されると、非通電時間積算用の電源回路２３から電源ターミナル１１からの通電電源に使用を切り換え、通電時間の検知回路１３、積算手段１４での通電時間の積算を開始する。
【００８８】
このように検知して積算していく積算通電時間と積算非通電時間を、加え合わせて経過時間として記憶手段１５に記憶する。
【００８９】
上記構成により、本体６への非通電時間も積算し、たとえば製品製造時からの経過時間を積算して記憶手段１５に記憶し、通電時だけでなく非通電時も含めた経過時間を記憶し、経年劣化も考慮した点検時期を使用者に知らせることができることとなる。
【００９０】
本体６への通電が停止されても、非通電時間積算用の電源回路２３によって非通電時間を積算することができ、さらに、非通電時間積算用の電源回路２３は、本体６への通電時には断電されて、その使用時間が長くならないようにし、寿命が長くなるように保護される。
【産業上の利用可能性】
【００９１】
本発明に係る浴室換気乾燥機は、点検時期になったことを使用者に知らせて、適切なメンテナンスが実施されることとなるので、大電流が流れ高湿度空間で運転される機器にとって有用である。
【図面の簡単な説明】
【００９２】
【図１】本発明の実施の形態１の浴室換気乾燥機における循環風路と換気風路に係るブロック構成図
【図２】同浴室換気乾燥機の制御基板に係るブロック構成図
【図３】同制御基板の記憶手段への積算通電時間記憶のフローチャート
【図４】同積算通電時間が所定の時間に達した旨を知らせるフローチャート
【図５】同浴室換気乾燥機のルーバー部の下面図
【図６】同積算通電時間が所定の時間に達した旨を複数回知らせるフローチャート
【図７】同積算通電時間を一度消去したあと再度表示するフローチャート
【図８】同制御基板の記憶手段における積算通電時間の入力の有無を確認して本体の運転制御をするフローチャート
【図９】本発明の実施の形態２における浴室換気乾燥機のリモートコントローラーの正面図
【図１０】同リモートコントローラーによる積算通電時間の表示を示すフローチャート
【図１１】本発明の実施の形態３の浴室換気乾燥機の制御基板に係るブロック構成図
【図１２】従来の浴室乾燥機の断面図
【符号の説明】
【００９３】
１    循環ファン
２    加熱装置
３    循環風路
４    換気ファン
５    換気風路
６    本体
７    ダンパー
８    リモートコントローラー
９    信号線
１０  制御基板
１１  電源ターミナル
１３  検知回路
１４  積算手段
１５  記憶手段
１８  ルーバー部
１９  表示部
２０  表示部
２１  報知手段
２３  非通電時間積算用の電源回路
【図１】
2010121788.tif 000003
【図２】
2010121788.tif 000004
【図３】
2010121788.tif 000005
【図４】
2010121788.tif 000006
【図５】
2010121788.tif 000007
【図６】
2010121788.tif 000008
【図７】
2010121788.tif 000009
【図８】
2010121788.tif 000010
【図９】
2010121788.tif 000011
【図１０】
2010121788.tif 000012
【図１１】
2010121788.tif 000013
【図１２】
2010121788.tif 000014